(57)【要約】      （修正有）【課題】操作上の品質を向上し、材料費と製造コストを抑え、体積の縮小が可能な磁性揺動計量制御器の提供。【解決手段】ホイール制御機構１、軸座体２、揺動棒３、永久磁石４及びホールセンサ５から構成され、ホイール制御機構の前後方向に軸部１１を設け、軸部をその前後にそれぞれ設けた軸座体の軸挿入槽２１内に跨置して軸支し、揺動棒は軸部から延設され、下方に揺動体３１を備え、揺動体の内側にさらに永久磁石４を収納設置できる収納槽３１１を形成し、ホイール制御機構の左右の揺動により、永久磁石を揺動させて磁場変化を発生させ、永久磁石下方に設けたホールセンサ５により左右方向の磁場変化信号データを取り込み、左右方向の制御機能を得る。【選択図】図１
0003112602.tif 000002
【実用新案登録請求の範囲】
【請求項１】
左右方向の計量制御に応用され、搖動変位動作で永久磁石を変位させ磁場変化を発生し、センサでその磁場信号変化データを取り込み、計量制御機能を得る磁性揺動計量制御器であって、ホイール制御機構、軸座体、揺動棒、永久磁石及びホールセンサから構成され、そのうち、該ホイール制御機構の前後方向に軸部を設け、該軸部をその前後にそれぞれ設けた軸座体の軸挿入槽内に跨置して軸支し、さらに、該揺動棒は該軸部から延設され、下方に揺動体を備え、該揺動体の内側にさらに永久磁石を収納設置できる収納槽を形成し、ホイール制御機構の左右の揺動により、同時に該永久磁石を揺動させて磁場変化を発生させ、該永久磁石下方に設けたホールセンサにより左右方向の磁場変化信号データを取り込み、左右方向の制御機能を得ることを特徴とした、磁性揺動計量制御器。     
【請求項２】
前記のうち、該永久磁石とホールセンサの実施において、永久磁石の磁極を横方向にＮ極、Ｓ極（またはＳ極、Ｎ極）と並べて配置し、下方に単一のホールセンサを設置した、請求項１に記載の磁性揺動計量制御器。
【請求項３】
前記のうち、該永久磁石とホールセンサの実施において、永久磁石の磁極を上下に並べて配置し、上層をＳ極、下層をＮ極、または上層をＮ極、下層をＳ極とし、該永久磁石の下方に２組のホールセンサを対応して並べ配置した、請求項１に記載の磁性揺動計量制御器。
【考案の詳細な説明】
【技術分野】
【０００１】
本考案は、磁性揺動計量制御器に関し、特に、従来の計量制御器における左右方向の制御構造を革新し、搖動方式で永久磁石を変位させることにより磁場変化信号を発生させ、該変化信号を取り込んで計量制御力を形成する、磁性揺動計量制御器に関する。
【背景技術】
【０００２】
コンピュータの発展史において、モニタのポインタ移動またはモニタスクロール移動を用いた周辺設備は非常に多く、早期のキーボード制御方式からケーブル付マウス、そして現在のワイヤレスマウスや光学式マウス等の主な目的は、ポインタの移動とモニタスクロールの制御及びクリック制御の三大機能にある。
【０００３】
現在の左右方向の移動機能を備えたマウスの構造設計は、図７に示すように、そのうちのホイール制御機構Ａ２は、ホイール及びホイール内に組み込まれた電子回路板及び光グレーティングセンサ(光学式原理)により構成され、正方向または反方向の回転により上下の縦方向の計量制御ができるものである。本考案が訴求する左右方向（横方向）の計量制御に関しては、図７に示すものは左方向または右方向のホイールの偏動により左右方向のスイッチ制御を行うしくみであり、図から分かるように、このようなマウスの基材機構Ａ１上のホイール制御機構Ａ２は、フレームＡ３の左右方向の外側にそれぞれ制御押圧棒Ａ４が左右に設けられたスイッチＡ５に対応して延出され、ホイール制御機構Ａ２が左方向に偏動すると、右側の押圧棒が偏向移動して右壁上のスイッチＡ５に接触し、ホイール制御機構Ａ２が右方向に偏動すると、左側の押圧棒が同様に偏向移動して左壁上のスイッチＡ５に接触する構造により、スイッチの作動を制御し、従来のマウスにおける左右方向の横方向計量機能を得るというものである。
【０００４】
前述の従来のマウスにおける左右方向の横方向計量制御構造をみると、このような計量構造及び方法には、以下のような多くの欠点があることが分かる。
１．前述の従来の横方向計量制御構造は、スイッチを採用した設計であるが、スイッチの作動制御には作動の隙間、作動敏感性及び使用寿命の問題が依然としてある。
２．第1点を受け、従来の横方向計量制御構造は、スイッチを採用した設計であるため、操作実施時においてスイッチを作動させるために比較的大きな操作力を必要とし、操作上不快感を与えることがあるため、この問題はこのような設計のものが多くの批評と挑戦を受ける原因になっている。
３．従来の横方向計量制御構造は、スイッチをその制御主体としており、スイッチは機械的な使用寿命の問題があるため、スイッチのうちの１つに故障が発生したり、使用による磨耗で操作上の不良が発生したりした場合、操作上の問題となり、さらには操作ができなくなることもあり、製品の使用寿命が短縮される結果となる。
４．従来の横方向計量制御構造は、複雑であり、小型スイッチをその制御主体としているため、小型スイッチの使用がコスト高になるだけでなく、組立作業にも時間と労力がかかるため、材料費及び製造コストが必然的に高くなってしまう。
５．従来の横方向計量制御構造はスイッチをその制御主体として用いているため、その揺動構造において左右両側に一対の押圧棒を延出することで左右に設けたスイッチの制御を行う必要があり、このため、構造上の体積増大を招き、小型のマウス装置への応用は非常に困難である。
【考案の開示】
【考案が解決しようとする課題】
【０００５】
前述の問題に鑑みて、本考案の目的は、左右方向の計量制御に小型スイッチを採用しないことで、スイッチの使用に起因する作動上の問題や使用寿命の短さ、コスト高等の欠点を排除し、制御主体構造の体積を縮小することができると共に、制御機構を電子作動へと変えることで、大幅に操作上の品質を向上し、材料費と製造コストを抑えることができる磁性揺動計量制御器を提供することにある。
【課題を解決するための手段】
【０００６】
本考案の磁性揺動計量制御器は、左右方向の計量制御に応用され、搖動変位動作で永久磁石を変位させ磁場変化を発生し、センサでその磁場信号変化データを取り込み、計量制御機能を得る磁性揺動計量制御器であって、ホイール制御機構、軸座体、揺動棒、永久磁石及びホールセンサから構成され、そのうち、該ホイール制御機構の前後方向に軸部を設け、該軸部をその前後にそれぞれ設けた軸座体の軸挿入槽内に跨置して軸支し、さらに、該揺動棒は該軸部から延設され、下方に揺動体を備え、該揺動体の内側にさらに永久磁石を収納設置できる収納槽を形成し、ホイール制御機構の左右の揺動により、同時に該永久磁石を揺動させて磁場変化を発生させ、該永久磁石下方に設けたホールセンサにより左右方向の磁場変化信号データを取り込み、左右方向の制御機能を得ることを特徴とする。
【考案の効果】
【０００７】
上述のように、従来の左右横方向計量制御構造とその欠点についての理解を経て、本考案は磁性搖動計量制御器を設計したものであり、小型スイッチを使用する必要がないため、スイッチの使用により発生する各種不良や欠点もなく、主体構造の体積を縮小することもできるため、従来製品と比較分析を行うと、本考案には以下のような利点があることが分かる。
【０００８】
１．本考案で実施する揺動制御は、永久磁石とホールセンサにより従来のスイッチに取って代わるため、スイッチの使用寿命の問題がない。制御機構を機械作動から電子作動へと変えることで、大幅に操作上の品質を向上できると共に、材料費と製造コストを抑えることができる。
２．本考案で実施する揺動制御は、磁場信号を主体としており、左右両側のスイッチ及びその制御押圧棒を必要としないため、大幅に構造そのものの体積を縮小できる。このため、各種異なるサイズのマウス装置内に簡単に応用することができる。
３．本考案で実施する揺動制御は、磁場信号を主体としており、その磁場信号の変化は、揺動に伴い同時に発生し、該信号がマイクロプロセッサのプログラム演算を経て処理されるため、揺動の敏感度を調整・設定することが可能であり、制御機能を調整することができる。
４．本考案で実施する揺動制御は、スイッチ作動無しの電子方式で実施され、その制御の揺動敏感度は使用者の設定により調整可能であるため、使用者のさまざまな操作習慣を満足させることができる。
５．本考案は永久磁石の位置移動を磁場信号発生装置としており、磁場信号は安定性が高く、且つ外界のノイズの干渉を受けにくいため、操作上の安定性と信頼性、正確性が高い。
６．本考案の構造設計は、現在の電子製造技術と組み合わせ、関連部品の体積及びサイズを必要な応用状況に応じて調整でき、現在の各種計量及び制御が必要な情報製品に対応することができる。
【考案を実施するための最良の形態】
【０００９】
図1に示すように、本考案の磁性揺動計量制御器は、左右の横方向計量制御に対して用いるものであるため、その運用標的上は制限がない。言い換えれば、全体の構造は、搖動動作により永久磁石を位置移動させることで磁場変化信号を発生し、さらに該信号データを取り込むことで計量制御機能を得ることを最終的な原則及び目的としている。
【００１０】
図１に示すように、本考案はホイール制御機構１、軸座体２、揺動棒３、永久磁石４及びホールセンサ５から構成される。そのうち、該ホイール制御機構１は、ホイールと電子回路板及びセンサ部品を組み合わせて構成され、正方向または反方向の回転により上下の縦方向計量操作及び制御を行う（該機構は本考案の訴求するところでないため、ここでは説明を省略する）。該ホイール制御機構１の前後方向にはそれぞれ軸部１１が設けられ、該軸部１１をその前後にそれぞれ設けた軸座体２の軸挿入槽２１内に跨置して軸支し、ホイール制御機構１全体を左右方向に制御することで、左右の揺動機能が得られる。
【００１１】
図２に示すように、前述の揺動棒３は、該軸部１１から延設され、さらに下方に揺動体３１を備え、該揺動体３１の内側にさらに永久磁石４を収納設置できる収納槽３１１を形成し、該収納槽３１１内で永久磁石４が揺動棒３に伴い同時に左右方向に揺動される。この動作特性により、該永久磁石４に揺れ動く動作機能を発生させ、その揺動動作に伴い、該永久磁石４下方に設けたホールセンサ５に左右方向の磁場変化信号データを取り込ませ、図３、図４に示すように、左右方向の制御を行う。
【実施例１】
【００１２】
図５、図６に示すように、本考案は永久磁石４とホールセンサ５の実施おいて、2つの実施例を代表として説明する。そのうち１つは、図５に示すように、永久磁石４の磁極を横方向にＮ、Ｓ極(またはＳ、Ｎ極)と並べて配置し、下方は単一のホールセンサ５とし、永久磁石４がその搖動動作により磁場変化信号を発生し、該ホールセンサ５がその磁場変化信号を取り込む実施方法である。その連続した揺動の磁場変化信号は、図５の波形図に示すように、そのうちの線形区域内に位置する信号が最良の変位ベクトルの判断信号となる。非線形区域内の信号は、最良の変位ベクトルの判断信号ではないが、変位方向の判断信号として用いることができる。図５に示す+Δ揺動偏量及び-Δ揺動偏量は、左右方向制御の線形変位ベクトル信号条件とすることができ、最良の制御機能が形成される。
【実施例２】
【００１３】
図６に示すように、永久磁石４とホールセンサの別の実施例は、永久磁石４の磁極を上がＳ極、下がＮ極（または上がＮ極、下がＳ極）と垂直方向に並べて配置し、永久磁石４の下に2組のホールセンサ５を対応させて配置したものである。同様に、永久磁石４の搖動動作により発生した磁場変化信号を利用し、２組のホールセンサ５がその左右方向の磁場信号を取り込む。その連続した揺動の磁場変化信号を６の波形図に示す。図６に示す+Δ揺動偏量及び-Δ揺動偏量は、左右方向の変位ベクトルの判断条件とすることができ、同様に最良の制御機能が形成される。      
【図面の簡単な説明】
【００１４】
【図１】本考案の最良の実施例を示す立体外観斜視図である。
【図２】本考案の全体構造と動作を示す平面図である。
【図３】本考案の揺動棒が右方向に揺動する動作を示す模式図である。
【図４】本考案の揺動棒が左方向に揺動する動作を示す模式図である。
【図５】本考案の永久磁石とホールセンサの実施例１を示す模式図及び磁場信号波形図である。
【図６】本考案の永久磁石とホールセンサの実施例２を示す模式図及び磁場信号波形図である。
【図７】従来の計量制御器の左右制御構造と動作を示す平面図である。
【符号の説明】
【００１５】
１        ホイール制御機構
１１      軸部
２        軸座体
２１      軸挿入槽
３        揺動棒
３１      揺動体
３１１    収納槽
４        永久磁石
５        ホールセンサ
【図１】
0003112602.tif 000003
【図２】
0003112602.tif 000004
【図３】
0003112602.tif 000005
【図４】
0003112602.tif 000006
【図５】
0003112602.tif 000007
【図６】
0003112602.tif 000008
【図７】
0003112602.tif 000009